(57)【要約】  例示的なマルチチャネル光結合器は、第１の面、第２の面、レンズアレイレセプタクルおよび光ファイバ用のファイバレセプタクルを有する、成形結合モジュールと、反射コーティングを保持する特定の面およびさらなる面を有し、それぞれ単一の光波長を通すように構成された複数の光学フィルタを保持する、光学装置と、それぞれのレンズが、少なくとも反射コーティングを介した複数の光学フィルタと、特定のファイバレセプタクル内部における特定の光ファイバの端部に対応する位置とに光学的に位置合わせされるように構成されている、第１のレンズアレイと、それぞれのレンズが光学フィルタに光学的に位置合わせされるように、第２の面に対して配置されている、第２のレンズアレイとを有する。光学ブロックおよびレンズアレイは、光結合器が光学フィルタを通った光波長のいずれかに対して−１０ｄＢ以下のクロストークを生成するように構成可能である。
2021513121.tif 000002
【特許請求の範囲】
【請求項１】
複数の光ファイバのための光結合器（１０、１００）であって、
第１の面（６８、２５５）、第２の面（６２、２６５）、レンズアレイレセプタクル（６６、２７５）、および複数の光ファイバの端部のための１つ以上のファイバレセプタクル（８０、２５０）を含む、成形結合モジュール（８３、２９９）と、
反射コーティングを保持する特定の面（２１、２３０）、および前記特定の面の反対側にあり、かつ複数の光学フィルタ（４０、２４０）を保持するさらなる面（２２、２３５）を有し、それぞれの光学フィルタが単一の光波長を通すように構成されている、光学装置（２０、２００）と、
それぞれのレンズが、少なくとも前記反射コーティングを介した前記複数の光学フィルタ（４０、２４０）と、前記ファイバレセプタクル（８０、２５０）のうちの特定の１つの内部における特定の光ファイバの端部に対応する位置とに光学的に位置合わせされるように、前記レンズアレイレセプタクル（６６、２７５）に対して配置されている、第１のレンズアレイ（６５、２７０）と、
それぞれのレンズが前記複数の光学フィルタ（４０、２４０）の対応する１つに光学的に位置合わせされるように、前記成形結合モジュールの前記第２の面（６２、２６５）に対して配置されている、第２のレンズアレイ（７０、２１３）と、
を有し、
前記光学装置（２０、２００）、前記第１のレンズアレイ（６５、２７０）、および前記第２のレンズアレイ（７０、２１３）のうちの少なくとも１つは、前記光結合器が前記複数の光学フィルタを通った前記光波長のいずれかに対して−１０ｄＢ以下のクロストークを生じるように構成されている、光結合器（１０、１００）。
【請求項２】
前記第１のレンズアレイ（６５、２７０）が前記１つ以上の光ビーム反射器（２６０）および前記反射コーティングを介して前記複数の光学フィルタ（４０、２４０）に光学的に位置合わせされるように、前記成形結合モジュール（８３、２９９）の前記第２の面（６２、２６５）に対して配置された、１つ以上の光ビーム反射器（６６、２６０）をさらに有する、請求項１記載の光結合器。
【請求項３】
前記光学装置（２０、２００）の前記さらなる面（２２、２３０）は、前記第１のレンズアレイ（６５、２７０）が前記反射コーティングのみを介して前記複数の光学フィルタ（４０、２４０）に光学的に位置合わせされるように、前記成形結合モジュール（８３、２９９）の前記第１の面（６８、２５５）に取り付けられている、請求項１または２記載の光結合器。
【請求項４】
前記第１のレンズアレイ（６５、２７０）は、前記第１のレンズアレイのそれぞれのレンズが対応するファイバから受光される光をコリメートしないように構成されている、請求項１から３までのいずれか１項記載の光結合器。
【請求項５】
前記第１のレンズアレイ（６５、２７０）のそれぞれのレンズは、前記対応するファイバから受光される光を集束させる、請求項４記載の光結合器。
【請求項６】
前記光学装置（２０、２００）は、前記さらなる面（２２、２３０）が実質的に不透明なコーティング（１３０）を保持するように構成されており、前記実質的に不透明なコーティング（１３０）は、前記複数の光学フィルタ（４０、２４０）の外周を実質的に囲み、かつ前記複数の光学フィルタを通る直接の光路に実質的に干渉することなく前記複数の光学フィルタの間に介在するいずれかの隙間を実質的に覆う、フットプリントを有する、請求項１から５までのいずれか１項記載の光結合器。
【請求項７】
前記複数の光学フィルタ（４０、２４０）は、
前記複数の光ファイバに対応する複数の行と、
前記複数の光ファイバのいずれかにより支援される光波長の最大数に対応する複数の列と
を含むアレイとして配置されている、請求項１から６までのいずれか１項記載の光結合器。
【請求項８】
特定の列のすべての光学フィルタは、同じ光波長を通すように構成されている、請求項７記載の光結合器。
【請求項９】
特定の列の前記光学フィルタのサブセットは、前記特定の列の前記光学フィルタの別のサブセットとは異なる光波長を通すように構成されている、請求項７記載の光結合器。
【請求項１０】
前記第２のレンズアレイ（７０、２１３）のそれぞれのレンズは、前記対応する光学フィルタから受光された光をコリメートしない、請求項１から９までのいずれか１項記載の光結合器。
【請求項１１】
前記第２のレンズアレイ（７０、２１３）のそれぞれのレンズは、前記対応する光学フィルタから受光された光を拡大する、請求項１０記載の光結合器。
【請求項１２】
前記第１の面（６８）および前記第２の面（６２）は、実質的に平行であり、前記第２のレンズアレイ（７０）は、複数の軸外の非球面レンズを有する、請求項１から１１までのいずれか１項記載の光結合器。
【請求項１３】
前記第１の面（２５５）および前記第２の面（２６５）は、実質的に非平行であり、前記第２のレンズアレイ（２１３）は、複数の軸上の非球面レンズを有する、請求項１から１１までのいずれか１項記載の光結合器。
【請求項１４】
８本のファイバとファイバごとに２つまでの光波長とを結合するように構成されている、請求項１から１３までのいずれか１項記載の光結合器。
【請求項１５】
１２本のファイバとファイバごとに２つまでの光波長とを結合するように構成されている、請求項１から１３までのいずれか１項記載の光結合器。
【請求項１６】
２本のファイバとファイバごとに４つまでの光波長とを結合するように構成されている、請求項１から１３までのいずれか１項記載の光結合器。
【請求項１７】
前記光学装置（２０、２００）は、前記特定の面（２１、２３０）、および反対側の前記さらなる面（２２、２３０）を有する光学ブロックを有し、
前記光学ブロックの前記さらなる面（２２、２３０）は、前記成形結合モジュール（８３、２９９）の前記第１の面（６８、２５５）に取り付けられている、
請求項１から１６までのいずれか１項記載の光結合器。
【請求項１８】
前記成形結合モジュール（１２４２）は、前記複数の光学フィルタが取り付けられる前記さらなる面（１２３９）を有し、
前記反射コーティングを保持する前記特定の面は、キャビティ（１２２０）が前記反射コーティングと前記複数の光学フィルタとの間に存在するように、前記成形結合モジュールの前記第１の面（１２３０〜１２３７）に取り付けられている、
請求項１から１６までのいずれか１項記載の光結合器。
【請求項１９】
複数の光学インサートをさらに有し、それぞれの光学インサートは、前記第１のレンズアレイ（６５、２７０）の特定のレンズに結合されており、かつ前記特定のレンズと、前記ファイバレセプタクル（８０、２５０）のうちの１つの内部における光ファイバの端部に対応する位置との間に光学的に位置合わせされている、請求項１から１８までのいずれか１項記載の光結合器。
【請求項２０】
前記１つ以上のファイバレセプタクル（８０、２５０）は、前記ファイバのそれぞれの長手方向軸線に対して８５°以下の角度に研磨されたそれぞれの端部を有する複数のマルチモードファイバと組み合わされるように構成されている、請求項１から１８までのいずれか１項記載の光結合器。
【請求項２１】
前記１つ以上のファイバレセプタクル（８０、２５０）は、複数のファイバスタブ（１０２０）を有し、前記複数のファイバスタブのそれぞれの特定のスタブは、前記複数のマルチモードファイバの特定のファイバに対応しており、
それぞれの特定のスタブは、前記対応する特定のファイバの研磨端部との組み合わせのために特定の角度に研磨された端部（１０２４）を有する、
請求項２０記載の光結合器。
【請求項２２】
前記ファイバレセプタクル（８０、２５０）のうちの少なくとも一方は、２本のマルチモードファイバの端部を受容するように構成されたフェルール（２１０）を有する、請求項１から２１までのいずれか１項記載の光結合器。
【請求項２３】
前記光結合器に挿入されている１本以上のファイバを実質的に固定の配置で前記光結合器内に保持するように構成された、少なくとも１つの保持クリップ（２１１０）をさらに有する、請求項１から２２までのいずれか１項記載の光結合器。
【請求項２４】
前記第１のレンズアレイ（６５、２７０）は、前記レンズアレイレセプタクル（６６、２７５）内に挿入可能である、請求項１から２３までのいずれか１項記載の光結合器。
【請求項２５】
前記第１のレンズアレイ（６５、２７０）は、前記レンズアレイレセプタクル（６６、２７５）内に一体的に形成されている、請求項１から２３までのいずれか１項記載の光結合器。
【請求項２６】
前記第２のレンズアレイ（７０、２１３）は、前記成形結合モジュール（８３、２９９）の前記第２の面（６２、２６５）に取り付けられている、請求項１から２３までのいずれか１項記載の光結合器。
【請求項２７】
前記第２のレンズアレイ（７０、２１３）は、前記成形結合モジュール（８３、２９９）の前記第２の面（６２、２６５）と一体的に形成されている、請求項１から２３までのいずれか１項記載の光結合器。
【請求項２８】
基板（１９１０）と、
前記基板に取り付けられた、請求項１から２７までのいずれか１項記載の光結合器（１０、１００、１９５０）と、
前記基板に取り付けられた複数の光源（１９４０ａ）であって、それぞれの光源が前記第２のレンズアレイ（７０、２１３）の対応するレンズに光学的に位置合わせされるように構成された光源（１９４０ａ）と
を有する、波長分割多重化装置。
【請求項２９】
基板（１９１０）と、
前記基板に取り付けられた、請求項１から２７までのいずれか１項記載の光結合器（１０、１００、１９５０）と、
前記基板に取り付けられた複数のフォトダイオード（１９４０ｂ）であって、それぞれのフォトダイオードが前記第２のレンズアレイ（７０、２１３）の対応するレンズに光学的に位置合わせされるように構成されたフォトダイオード（１９４０ｂ）と
を有する、波長分割逆多重化装置。
【請求項３０】
基板（１９１０）と、
前記基板に取り付けられた、請求項１から２７までのいずれか１項記載の光結合器（１０、１００、１９５０）と、
前記基板に取り付けられた複数のフォトダイオード（１９４０ｂ）であって、それぞれのフォトダイオードが前記第２のレンズアレイ（７０、２１３）の第１の部分の対応するレンズに光学的に位置合わせされるように構成されたフォトダイオード（１９４０ｂ）と、
前記基板に取り付けられた複数の光源（１９４０ａ）であって、それぞれの光源が前記第２のレンズアレイ（７０、２１３）の第２の部分の対応するレンズに光学的に位置合わせされるように構成された光源（１９４０ａ）と
を有する、波長分割送信機／受信機。
【請求項３１】
基板（１９１０）と、
前記基板に取り付けられた、請求項１から２７までのいずれか１項記載の光結合器（１０、１００、１９５０）と、
さらなる複数のファイバレセプタクルであって、前記さらなるファイバレセプタクルのそれぞれの内部において、光ファイバの端部に対応する位置が前記第２のレンズアレイ（７０、２１３）の対応するレンズに光学的に位置合わせされるように、前記基板に取り付けられたファイバレセプタクルと
を有する、ファイバ間多重化装置／逆多重化装置。
【発明の詳細な説明】
【技術分野】
【０００１】
関連出願
本願は、２０１８年２月５日に出願された米国特許仮出願第６２／６２６，４６２号の優先権の利益を主張し、その開示全体があらゆる目的のために参照により本明細書に組み込まれる。
【０００２】
技術分野
本願は、一般には光通信の分野に関し、より具体的には複数の光チャネル（例えば波長）を２つ以上の光ファイバに結合する装置に関する。
【０００３】
背景
波長分割多重光通信システムにおいては、多くの異なる光波長の搬送波が単一光ファイバ内で複数の独立した通信チャネルを提供する。将来の演算システムおよび通信システムは、通信リンク帯域幅に対する要求をますます強めている。光ファイバは、従来の同軸通信よりもはるかに高い帯域幅を提供することが一般に知られている。さらに、ファイバ導波体内の単一の光チャネルは、ファイバの利用可能帯域幅のうちのきわめてわずかな部分、典型的には利用可能な数十テラヘルツ（ＴＨｚ）のうちの数ギガヘルツ（ＧＨｚ）を用いている。異なる光波長の幾つかのチャネルをファイバへ透過する（典型的には「波長分割多重」または「ＷＤＭ」と称する）ことにより、こうした帯域幅をより効率的に利用することができる。
【０００４】
典型的な動作において、光多重化装置（「光結合器」とも称する）は、様々な光周波数を有する、または等価的に言えば波長を有する複数の光信号を合成または分離する。こうした光多重化装置はマルチモードファイバおよびシングルモードファイバの両方の光データ通信および遠隔通信の高密度波長分割多重および粗波長分割多重（ＤＷＤＭおよびＣＷＤＭ）の両方の用途を有する。多波長光源を合成して透過のための単一の光路とすることができ、または単一の光路を進む多波長光を、個別の光ファイバキャリアまたは光ファイバ検出器に集束されうる複数の狭いスペクトル帯域に分離することができる。
【０００５】
現在の光結合器は、波長多重光源を搬送する単一光ファイバを用いて動作するように構成可能である。このような装置の一例が、米国特許第６，２０１，９０８号明細書に説明されている。しかし、多くの用途では複数の光ファイバを利用している。このような用途には、基幹回線および構内回線の分配が含まれる。また、安全な情報を他の安全な情報からまたは安全でない情報から分離することを容易にする複数のファイバが必要となる場合がある。この場合、光結合器が光ファイバごとに必要とされる。光結合をファイバごとに分離することの１つの利点は、それぞれのファイバにおける信号間のクロストークが有効に低減可能となるまたは最小化可能となることである。「クロストーク」とは、多くの場合、第１のチャネルで搬送される信号の一部が、何らかの形式で、第１のチャネルに近位の第２のチャネルに、所望でないノイズおよび／または干渉として現れることを指す。
【０００６】
しかし、こうした構成の著しい欠点または問題として、ファイバ接続ごとに必要とされる個別の光学部品および電子部品に起因するサイズおよびコストの増大が含まれる。したがって、マルチファイバ用途のために改善された光結合器を用いてこうした課題および／または問題のうちの少なくとも幾つかに対処することは有益となりうる。
【０００７】
概要
したがって、こうした課題および／または問題のうちの少なくとも幾つかに対処するために、本開示の特定の例示的な実施形態により、チャネル間のクロストーク量が例えば−１０ｄＢ以下に低減される高度統合型マルチチャネル光結合器を提供する。したがって、本開示による方法、システム、装置およびコンピュータ可読媒体の例示的な実施形態は、本明細書で考察する例示的な用途を含む様々な公知の用途における従来の方法、技術およびシステムよりもはるかに優れたものとなりうる。
【０００８】
本開示の特定の例示的な実施形態は、第１の面、第２の面、レンズアレイレセプタクル、および複数の光ファイバの端部のための１つ以上のファイバレセプタクルを有する、成形結合モジュールと、反射コーティングを保持する特定の面、および特定の面の反対側にあり、かつ複数の光学フィルタを保持するさらなる面を有し、それぞれの光学フィルタがファイバレセプタクルに結合されたファイバの１つ以上により搬送される単一の波長を通すように構成されている、光学装置とを有する、複数の光ファイバのための光結合器を含む。光結合器は、それぞれのレンズが、少なくとも反射コーティングを介した複数の光学フィルタと、ファイバレセプタクルのうちの特定の１つの内部における特定の光ファイバの端部に対応する位置とに光学的に位置合わせされるように、レンズアレイレセプタクルに対して配置されている、第１のレンズアレイも有することができる。光結合器は、それぞれのレンズが複数の光学フィルタの対応する１つに光学的に位置合わせされるように、成形結合モジュールの第２の面に対して配置されている、第２のレンズアレイも有することができる。当該実施形態において、光学ブロック、第１のレンズアレイ、および第２のレンズアレイのうちの少なくとも１つは、光結合器が複数の光学フィルタを通った光波長のいずれかに対して−１０ｄＢ以下のクロストークを生じるように構成可能である。
【０００９】
幾つかの例示的な実施形態では、光結合器は、第１のレンズアレイが１つ以上の光ビーム反射器および反射コーティングを介して複数の光学フィルタに光学的に位置合わせされるように、成形結合モジュールの第２の面に対して配置された、１つ以上の光ビーム反射器をさらに有することができる。幾つかの例示的な実施形態では、光学ブロックのさらなる面は、第１のレンズアレイが反射コーティングのみを介して複数の光学フィルタに光学的に位置合わせされるように、成形結合モジュールの第１の面に取り付けられる。
【００１０】
幾つかの例示的な実施形態では、第１のレンズアレイは、第１のレンズアレイのそれぞれのレンズが対応する光ファイバから受光される光をコリメートしないように構成可能である。幾つかの例示的な実施形態では、第１のレンズアレイのそれぞれのレンズは、対応するファイバから受光される光を集束させる。
【００１１】
他の例示的な実施形態では、光学ブロックは、さらなる面が実質的に不透明なコーティングを保持するように構成可能であり、当該実質的に不透明なコーティングは、複数の光ファイバの外周を実質的に囲み、かつ複数の光学フィルタを介する直接の光路に実質的に干渉することなく複数の光ファイバの間に介在するいずれかの隙間を実質的に覆う、フットプリントを有する。幾つかの例示的な実施形態では、複数の光学フィルタは、複数の光ファイバに対応する複数の行と、それぞれの光ファイバにより搬送される複数の光波長に対応する複数の列とを含むアレイとして配置可能である。幾つかの例示的な実施形態では、特定の列のすべての光学フィルタが同じ光波長を通すように構成可能である。他の例示的な実施形態では、特定の列の光学フィルタのサブセットが、特定の列の光学フィルタの別のサブセットとは異なる光波長を通すように構成可能である。
【００１２】
幾つかの例示的な実施形態では、第２のレンズアレイのそれぞれのレンズは、対応する光学フィルタから受光された光をコリメートしない。幾つかの例示的な実施形態では、第２のレンズアレイのそれぞれのレンズは、対応する光学フィルタから受光された光を拡大する。
【００１３】
幾つかの例示的な実施形態では、第１の面および第２の面は、実質的に平行であってよく、第２のレンズアレイは、複数の軸外の非球面レンズを有していてよい。他の例示的な実施形態では、第１の面および第２の面は、実質的に非平行であってよく、第２のレンズアレイは、複数の軸上の非球面レンズを有していてよい。
【００１４】
幾つかの例示的な実施形態では、光結合器は、それぞれ少なくとも２つの光波長を搬送する８本のファイバに結合されるように構成可能である。幾つかの例示的な実施形態では、光結合器は、それぞれ少なくとも２つの光波長を搬送する１２本のファイバに結合されるように構成可能である。幾つかの例示的な実施形態では、光結合器は、少なくとも４つの光波長を搬送する２本のファイバに結合されるように構成可能である。
【００１５】
幾つかの例示的な実施形態では、光学装置は、特定の面、および反対側のさらなる面を有する光学ブロックを有し、光学ブロックのさらなる面は、成形結合モジュールの第１の面に取り付けられる。幾つかの例示的な実施形態では、成形結合モジュールは、複数の光学フィルタが取り付けられうるさらなる面を有する。このような実施形態では、反射コーティングを保持する特定の面は、キャビティが反射コーティングと複数の光ファイバとの間に存在しうるように、成形結合モジュールの第１の面に装着可能である。
【００１６】
幾つかの例示的な実施形態では、光結合器は、複数の光学インサートを有し、それぞれの光学インサートは、第１のレンズアレイの特定のレンズに結合されており、かつ特定のレンズと、１つ以上のファイバレセプタクルに結合されている対応するファイバの端部との間に光学的に位置合わせ可能である。幾つかの例示的な実施形態では、１つ以上のファイバレセプタクルは、ファイバのそれぞれの長手方向軸線に対して８５°以下の角度に研磨されたそれぞれの端部を有する複数のマルチモードファイバと組み合わされるように構成可能である。
【００１７】
幾つかの例示的な実施形態では、１つ以上のファイバレセプタクルは、複数のファイバスタブを有し、それぞれのスタブは、複数のマルチモードファイバの特定のファイバに対応しており、それぞれのスタブは、対応する特定のファイバの研磨端部との組み合わせのために特定の角度に研磨された端部を有する。幾つかの例示的な実施形態では、ファイバレセプタクルのうちの少なくとも一方は、２本のマルチモードファイバの端部を受容するように構成されたフェルールを有することができる。幾つかの例示的な実施形態では、光結合器は、光結合器に挿入されている１本以上のファイバを、実質的に固定の配置で光結合器に保持するように構成された、少なくとも１つの保持クリップを有することができる。
【００１８】
幾つかの例示的な実施形態では、第１のレンズアレイは、レンズアレイレセプタクル内に挿入可能である。他の例示的な実施形態において、第１のレンズアレイは、レンズアレイレセプタクル内に一体的に形成可能である。幾つかの例示的な実施形態では、第２のレンズアレイは、成形結合モジュールの第２の面に装着可能である。他の例示的な実施形態において、第２のレンズアレイは、成形結合モジュールの第２の面と一体的に形成可能である。
【００１９】
他の例示的な実施形態は、波長分割逆多重化装置(demultiplexer)を含み、当該波長分割逆多重化装置は、１つ以上の実施形態の光結合器と、さらに基板と、基板に取り付けられる複数の光源であって、それぞれの光源が第２のレンズアレイの対応するレンズに光学的に位置合わせされるように構成された光源とを有する。他の例示的な実施形態は、波長分割逆多重化装置を含み、当該波長分割逆多重化装置は、１つ以上の実施形態の光結合器と、さらに基板と、基板に取り付けられる複数のフォトダイオードであって、それぞれのフォトダイオードが第２のレンズアレイの対応するレンズに光学的に位置合わせされるように構成されたフォトダイオードとを有する。
【００２０】
他の例示的な実施形態は、１つ以上の実施形態の光結合器と、さらに基板と、基板に取り付けられる複数のフォトダイオードであって、それぞれのフォトダイオードが第２のレンズアレイの第１の部分の対応するレンズに光学的に位置合わせされるように構成されたフォトダイオードと、基板に取り付けられる複数の光源であって、それぞれの光源が第２のレンズアレイの第２の部分の対応するレンズに光学的に位置合わせされるように構成された光源とを有する、波長分割送信機／受信機を含む。他の例示的な実施形態は、１つ以上の実施形態の光結合器と、さらに基板と、さらなる複数のファイバレセプタクルであって、これらのさらなるファイバレセプタクルのそれぞれの内部において、光ファイバの端部に対応する位置が第２のレンズアレイの対応するレンズに光学的に位置合わせされるように、基板に取り付けられたファイバレセプタクルとを有する、ファイバ間多重化装置／逆多重化装置を含んでもよい。
【００２１】
本開示の例示的な実施形態の上記および他の目的、特徴および利点は、添付の特許請求の範囲と併せて、本開示の例示的な実施形態の以下の詳細な説明を読むことにより明らかとなる。
【００２２】
本開示のさらなる目的、特徴および利点は、例示的な実施形態を示す添付の図面と併せて、以下の詳細な説明から明らかとなる。
【図面の簡単な説明】
【００２３】
【図１】本開示の１つ以上の例示的な実施形態による、８波長（８λ）の光信号を８個の個別の光信号に分離するために用いられる、例示的な光結合器の側断面図である。
【図２】図１に示した例示的な光結合器を有する、例示的な光学装置（例えば光学ブロック）の側断面図である。
【図３】本開示の１つ以上の例示的な実施形態による、２本の光ファイバのそれぞれから送信される４波長（４λ）の光信号を８個の個別の光信号に分離するのに使用可能な、例示的な光学装置の等角底面図である。
【図４】図３に示した例示的な光学装置の具体的な実施形態の底面図である。
【図５】本開示の１つ以上の例示的な実施形態による、外部筐体を有し、かつ例えば図３または図４に示した光学装置が組み込まれる、例示的な２本のファイバの光結合器の等角上面図である。
【図６】本開示の１つ以上の例示的な実施形態による、図５に示した例示的な２本のファイバの光結合器の内部を示す側断面図である。
【図７】本開示の１つ以上の例示的な実施形態による、外部筐体を有し、かつ例えば図３または図４に示した光学装置が組み込まれる、例示的な２本のファイバの光結合器の等角正面図である。
【図８】本開示の１つ以上の例示的な実施形態による、外部筐体を有し、かつ例えば図３または図４に示した光学装置が組み込まれる、例示的な２本のファイバの光結合器の等角底面図である。
【図９】本開示の１つ以上の例示的な実施形態による、角度を付けられたまたは傾斜した表面を有するフェルールの等角図である。
【図１０】本開示の１つ以上の例示的な実施形態による、角度を付けられたフェルールおよび角度を付けられたファイバスタブが組み込まれる、光結合器の断面図である。
【図１１Ａ】本開示の１つ以上の例示的な実施形態による、交互配置の構成で取り付けられた光学装置を含む、例示的な光結合器の図である。
【図１１Ｂ】本開示の１つ以上の例示的な実施形態による、交互配置の構成で取り付けられた光学装置を含む、例示的な光結合器の図である。
【図１２】本開示の１つ以上の例示的な実施形態による、キャビティを有する光学装置が組み込まれる、光結合器アセンブリの側断面図である。
【図１３】本開示の１つ以上の例示的な実施形態による、図１２に対応する光結合器アセンブリの動作方式を示す側断面図である。
【図１４】本開示の１つ以上の例示的な実施形態による、８本の光ファイバのそれぞれからの２波長（２λ）の光信号を１６個の個別の光信号に分離するのに使用可能な、例示的な光学装置の等角上面図である。
【図１５】図１４に示した例示的な光学装置の具体的な実施形態の上面図である。
【図１６】図１４および図１５に対応する実施形態を含む、様々な光学装置とともに使用可能な例示的な光結合器アセンブリの等角上面図である。
【図１７】光学装置、例えば図１４および図１５に対応する例示的な実施形態が組み込まれる、例示的な光結合器アセンブリの等角上面図である。
【図１８】本開示の１つ以上の例示的な実施形態による、１２本の光ファイバ用の例示的な光結合器の等角正面図である。
【図１９】本開示の１つ以上の例示的な実施形態による、１２本の光ファイバ用の例示的な光結合器の等角底面図である。
【図２０】本開示の１つ以上の例示的な実施形態による、他の光変換電子機器とともに基板に取り付けられた例示的な光結合器の断面図である。
【図２１】本開示の１つ以上の例示的な実施形態による、基板に取り付けられ、ファイバケーブル用の保持クリップを有する、例示的な送受信機アセンブリの等角上面図である。
【図２２】本開示の１つ以上の例示的な実施形態による、例えば図２１に示したような筐体に取り付けられた例示的な送受信機アセンブリの等角上面図である。
【図２３】本開示の様々な実施形態によるマルチチャネル光結合器の例示的な設計を示す。
【００２４】
ここで、図面を参照して本開示を詳細に説明するが、当該説明は例示的な実施形態に関連して行われ、図面に示した具体的な実施形態または添付の特許請求の範囲により限定されない。
【００２５】
例示的な実施形態の詳細な説明
簡潔に上述したように、マルチファイバ光結合におけるファイバごとの分離の利点は、それぞれのファイバにおけるチャネル間のクロストークが効果的に低減可能となり、かつ／または最小化可能となることである。しかし、さらに上述したように、こうした配置には、ファイバ接続ごとに複製される結合部品のサイズおよびコストの増大を含めた、著しい欠点または問題がある。したがって、ファイバごとの光結合配置と比較して費用対効果がある一方、当該ファイバごとの光結合配置と同等のクロストーク性能を達成する、改善されたマルチファイバ光結合器が必要である。
【００２６】
光ファイバ用途におけるクロストークは、それぞれが４つの波長λ１〜λ４を有する４本のファイバＦ１〜Ｆ４の例示的な配置によって示されうる。当該配置では、１６個のチャネル、すなわち（Ｆ１，λ１）〜（Ｆ４，λ４）がある。しかし、Ｆ１〜Ｆ４のそれぞれが別々の光結合器を用いる場合、各チャネル（例えば（Ｆ１，λ１））は、当該同一ファイバ（例えば（Ｆ１，λ２）、（Ｆ１，λ３）、（Ｆ１，λ４））で搬送される他のチャネルからのクロストークのみを受ける。対照的に、ファイバごとの分離がないマルチファイバ結合配置が用いられる場合、特定のファイバの各チャネル（例えば（Ｆ１，λ１））は、すべてのファイバの他の全チャネルからのクロストークを受ける。
【００２７】
ただし、クロストークは一般に互いに近位にあることが発生の条件であり、したがって大抵の場合、設計者は、主に特定のチャネルに物理的に隣接するチャネルからのクロストークに関心を有する。こうしたクロストークは光結合器内で生じうる。実際には、結合器の光学的特性により、結合器への入力の際に物理的に隣り合うチャネルに結合器内部での混合が生じ、これによりクロストークが発生しうる。上記の例から理解可能であるように、４個のチャネルのみを処理する単一ファイバ結合器と比較して、結合器内の１６個のチャネルの混合および／またはクロストークを防止しかつ／または最小化するマルチファイバ結合器を設計することは、著しく困難となりうる。
【００２８】
図１は、多波長の光信号を８個の個別の光信号に分離するために用いられる、例示的な光結合器１０の側断面図である。図１には組み立てられた１次部品と光路９０〜９６とが図示されており、ここで、到来する信号は８個の別々の波長λ１〜λ８を含み、当該波長が光検出器（図示せず）により読み取られる８個の別々のチャネルに分離される。ガラスで形成可能でありまたはプラスチックで成形可能である光学装置２０（例えば、光学ブロック）が、その下面２２に複数のフィルタ４０を取り付けた状態で示されている。光学装置２０は反射性材料８５でコーティングされた平坦な上面２１を有する。光結合器１０は、光学装置２０の平坦な下面２２に接続可能なかつ／または接着可能な平坦な上面６１を有する成形本体部８３を有する。図１に示している例示的な実施形態において、光結合器１０（例えば、成形本体部８３）は、光ファイバケーブル（図示せず）の端部がレセプタクルシート８１に係合するように当該ケーブルの端部を受容すべく一体成形された光ファイバケーブルレセプタクル８０を有する。
【００２９】
図１にさらに示しているように、多重光ビームが光路９０に沿って移動し、光ファイバケーブル（図示せず）の端部から出射されて、９１で示しているように発散し始める。レンズ６５は発散光９１をコリメートし、コリメートビーム９２を形成する。幾つかの例示的な実施形態では、レンズレセプタクル６６が光結合器１０内に一体的に形成可能であり、レンズ６５がレンズレセプタクル６６に挿入可能であり、取り付け可能であり、かつ／または装着可能である。他の例示的な実施形態において、レンズ６５は、光結合器１０内、例えばレンズレセプタクル６６に対応する区域内に一体的に形成されてもよい。レンズ６５を通った後、コリメート光ビーム９２は、光結合器１０の反射器６６（例えば「全反射器」としても知られる）で反射され、光学装置２０の平坦な上面２１によって保持されている反射コーティング８５に向かって、上向きに偏向される。幾つかの例示的な実施形態では、反射器６６を、光結合器１０内に、例えば下面６２の一部として一体的に形成することができる。他の例示的な実施形態において、反射器６６が、光結合器１０の内面に取り付けられまたは取り付けられてもよい。光ビームが光路の区間９３を通って移動すると、当該技術分野で既知の所定の入射角で反射コーティング８５に衝突する。当該技術分野で知られているように、反射ビーム９４は、光学装置２０内の複数のｎ個のフィルタ４０と反射面８５との間をジグザグパターンで反射される。
【００３０】
反射ビームがこれらのフィルタのそれぞれに入ると、光の異なる波長のうちの１つが各フィルタを通して透過され、分離された波長は、光結合器１０の下面６２に形成可能な複数の非球面７０（本明細書では「レンズ」とも称する）に向かって光路９５ａ〜９５ｈ沿いに伝搬する。他の例示的な実施形態では、レンズ７０は、下面６２に取り付けられまたは取り付けられていてもよい。幾つかの例示的な実施形態では、複数の非球面すなわちレンズ７０のそれぞれは、特定の波長、波長帯域、および／または一群のチャネルの光９６ａ〜９６ｈを当該レンズの下方に配置された特定の光検出器（図示せず）に集束させることができる。他の例示的な実施形態では、レンズ７０は、フィルタ４０を通して受信される光信号９６ａ〜９６ｈをコリメートしないように、または拡大するように構成可能である。
【００３１】
光結合器１０がレンズ７０の下方に同様に配置された複数の光源（図示せず）により生成される様々な波長の光９６ａ〜９６ｈの合成または多重化に用いられる他の例示的な実施形態では、非球面またはレンズは、それぞれの光源により生成される光９６ａ〜９６ｈをフィルタ４０のそれぞれの中央領域に集束させるように構成可能である。他の例示的な実施形態では、非球面またはレンズは、それぞれの光源により生成された光９６ａ〜９６ｈをコリメートして、フィルタ４０に入射する平行ビームとするように構成可能である。
【００３２】
図２に示すように、光学装置２０は、平坦な上面２１、平坦な下面２２、平坦な近位端壁部２３、および平坦な遠位端壁部２４を有する略矩形立体形状であってよい。光学装置２０は、所望のスペクトル領域にわたって光を透過することができ、かつ正確な厚さに形成または研磨することができる、任意の透明な光学材料から形成可能である。例えば、光学装置２０は高品質の光学ガラスから形成可能である。代替的に、光学装置２０は高品質の光学プラスチックを用いて射出成形されてもよい。
【００３３】
反射コーティング８５は、光学装置２０の上面２１に形成可能である。反射コーティングは、例えば誘電性干渉コーティングまたは金属コーティングを含む材料から形成可能である。反射面８５は、例えば誘電性干渉コーティング、金属コーティング等を含む複数の技術により、光学ブロック上に設けることができる。
【００３４】
複数の個別の（例えばアレイとしての）多波長ファブリ・ペロー透過フィルタを、上面２１と反対側の下面または底面２２に装着することができる。当該複数のフィルタは、図２に最良に示されているように、例えば底面２２に互いに隣り合うように取り付けられた８個の個別のファブリ・ペローフィルタ４１〜４８を含むことができる。個別のフィルタ４１〜４８のそれぞれは、光学装置２０の底面２２に接着接続される際に互いに僅かに離間させて配置することもできる。既知の平坦面上に互いに隣り合うように個別のファブリ・ペローフィルタを配置する当該方法により、既存の従来技術の波長分割多重化装置における結合および位置合わせの問題の多くが回避される。付加的に、フィルタ４１の近位端４１ａは、装置が組み立てられたときに、フィルタアセンブリが非球面レンズアレイとの適切な光学的位置合わせを得るように、光結合器１０の表面６８（図１）に接触するように意図されている。幾つかの実施形態では、隣り合うフィルタ間の小さな空間（例えば空間１５１）は光学的に透明であってよい。以下に説明する他の例示的な実施形態では、反射コーティングが隣り合うフィルタ間の空間内の底面２２に形成されてもよい。
【００３５】
フィルタアレイを光学ブロックに組み付け、次に光学装置２０を光結合器１０に接続しかつ／または接着することにより、光学素子の光学的位置合わせが達成される。上記のように組み立てられると、光ファイバケーブルの出力ビーム９１が光結合器１０に直接に結合可能となり、かつコリメートレンズ６５、ビーム反射手段、および光学装置２０の上面の反射コーティング８５を含む、装置の内部光学系との位置合わせ、ならびに複数のフィルタ４０および複数の非球面７０との位置合わせが可能となる。好ましくは、これらの光学素子の製造後の位置合わせまたは調整が必要なくなる。
【００３６】
図３は、本開示の１つ以上の例示的な実施形態による、２本の光ファイバのそれぞれから送信される４波長（４λ）の光信号を８個の個別の光信号に分離するために使用可能な例示的な光学装置の等角底面図である。図３に示す光学装置は、図１〜図２に示す光学装置２０と同様の材料および方式で構成可能である。ただし、図３に示す光学装置のフィルタでは、それぞれ特定の波長のための８個の光学フィルタが、１行ではなく、２本の光ファイバに対応して２行に配列されている。それぞれの行は４つの光学フィルタを有し、そのそれぞれが、対応するファイバによって搬送される特定の波長のためのものである。
【００３７】
図４は、図３に示す光学装置の別の例示的な実施形態の底面図である。当該例示的な実施形態において、パターニングされた不透明層１３０が光学フィルタを装着するために用いられる光学装置の表面に形成されている。不透明層１３０は隣り合うフィルタ間の空間を覆っていてよく、幾つかの実施形態では（図示のように）フィルタアレイの外周も覆っていてよい。こうした実施形態において、パターニングされた不透明層１３０は、隣り合うフィルタ間の空間内に設けられる横断線１３１〜１３４および／またはフィルタアレイのフットプリントの外周を囲んで延在する外周線１４１〜１４４を有することができる。幾つかの実施形態では、横断線１３１〜１３４は、隣り合うフィルタ間の光学的に透明な領域または隙間よりも僅かに大きな幅、例えば所望されない光が隣り合うフィルタ間の隙間を通って侵入するのを防止するのに十分な幅を有することができる。外周線１４１〜１４４の幅は、光路内で発散する光の一部と相互作用するフィルタ縁部によって生成される光学的ノイズを低減するのに十分なものであってよい。不透明層１３０は、異なる材料（すなわちアルミニウム、誘電性コーティング、金等）で構成可能であり、かつリソグラフィまたは直接描画により形成可能である。パターニングされた不透明層１３０は、例えば隣り合うフィルタを通る光源間のクロストークを低減することにより、光学装置の性能を改善することができる。
【００３８】
図５は、本開示の１つ以上の例示的な実施形態による、外部筐体を有し、かつ例えば図３または図４に示す光学装置が組み込まれる、例示的な２本のファイバの光結合器の等角上面図である。
【００３９】
図６は、本開示の１つ以上の例示的な実施形態による、図５に示す例示的な２本のファイバの光結合器の内部１００を示す側断面図である。図６には、当該例示的な実施形態の光透過の基本方式も示されており、ここで、矢印付きの破線は光を表す。なお、図６は、光ファイバの透過のための、単一の光信号への様々な波長を有する光の合成を示しているが、当業者は、以下の説明が光ファイバから受信される多波長の光信号の分離にも同様に適用されることを容易に理解するであろうことに注意されたい。
【００４０】
図６に示すように、異なる波長の光が複数のフィルタ２４０を通って光学装置２００に入る。例えば、異なる波長のそれぞれは、図６に示しているように、レンズアレイ２１３の対応するレンズを介して対応するレーザ２８０により提供可能であり、当該レンズアレイ２１３は、提供された光をフィルタ２４０の特定の１つのフィルタ２４０に集束させ、かつ／または偏向させるために用いられる。幾つかの例示的な実施形態では、第２のレンズ２１３は非球面レンズであってよい。上記で考察した基本方式にしたがって、異なるフィルタ２４０のそれぞれは、反射面２３０およびフィルタ２４０を用いて実質的に異なる波長の光を多重化（または逆多重化(demultiplexed)）できるように、１つの波長（または狭い範囲の波長）の光のみを通すことができる。
【００４１】
図６に示す例示的な実施形態では、フィルタ２４０を保持する光学装置２００の表面と第２のレンズアレイ２１３の平面との間に角度（Ａ１）を形成することにより、レーザ２８０は、第２のレンズ２１３に対して「軸上」に配置可能である。幾つかの例示的な実施形態では、各フィルタ２４０は、自身の側面が互いに平行にかつ第２のレンズ２１３の平面に対して垂直となるように構成可能である。このような実施形態では、光学装置２００に入る光は、例えば各フィルタの側面に実質的に平行な経路を介してそれぞれのフィルタ２４０の中央を通ることができる。このようにして、各フィルタの経路損失を低減することにより、光学装置２００の光学的性能を改善することができる。こうした配置により、さらに、図４に関連して上記で考察したパターニングされた不透明層と同様に、隣り合う光源間のクロストークを低減することができる。他の例示的な実施形態では、各フィルタ２４０は、自身の側面が光学装置２００の底面に対して垂直となるように構成可能である。図６には、光学装置２００と光結合器の本体との間のキャビティ２９０も示されている。
【００４２】
幾つかの例示的な実施形態では、フィルタ２４０を保持する光学装置２００の表面と第２のレンズ２１３の平面との間の角度Ａ１の範囲は、６°〜１３°であってよい。各フィルタが隣り合うフィルタ２４０の垂直な中心線間の距離Ｄ（「レンズピッチ」とも称する）だけ等しく離間しており、かつ光学装置２００の厚みをＴとすると、異なる波長の光の反射角は、Ｄ＝２＊ｔａｎ（α）＊Ｔの関係により決定される。
【００４３】
光結合器は、複数の光ファイバレセプタクル２５０（例えばファイバごとに１つ）、全反射器（ＴＩＲ）２６０、および第１のレンズ（例えばファイバごとに１つ）のアレイ２７０を有することができる。第１のレンズアレイは、光結合器の本体のレンズアレイレセプタクル２７５内に配置されていてもよい。レセプタクル２５０に挿入されると、光ファイバは、対応する第１のレンズ２７０とＴＩＲ２６０とに光学的に位置合わせされる。さらに、ＴＩＲ２６０は、光学装置２００に光学的に位置合わせされ、これにより、ＴＩＲ２６０は、第１のレンズ２７０と光学装置２００との間で、光ファイバに光を反射し、または光ファイバから光を反射するように構成可能となる。
【００４４】
それぞれのレセプタクル２５０は、レセプタクル２５０に挿入される光ファイバの端面に配置されるフェルール２１０を内部に有していてよい。フェルール２１０のより詳細な図は、図９に示されている。各フェルール２１０は、実質的に円筒形状を有していてよく、また第１のレンズ２７０に隣接する角度を付けられたまたは傾斜した端２２０を有していてもよい。傾斜部２２０は、第１のレンズ２７０を通ってフェルール２１０に入射した光を第１のレンズ２７０の主軸線からそれる方向へ反射させ、フェルール２１０によって反射されて元の経路に沿って第１のレンズ２７０に戻る光を弱め、かつ／または低減することができる。したがって、傾斜部２２０は、光学装置２００を介してレーザ２８０に戻る光も低減することができる。
【００４５】
図７は、本開示の１つ以上の例示的な実施形態による、外部筐体を有し、かつ例えば図３または図４に示す光学装置が組み込まれる、例示的な２本のファイバの光結合器の等角正面図である。図７には、上記で考察したレセプタクル２５０および第１のレンズアレイ２７０の構成および／または配置が示されている。図７には、ファイバコネクタ留め具３００およびファイバコネクタ位置合わせピン３１０を含む、結合器への２本の光ファイバの接続を容易にする機能部も示されている。
【００４６】
図８は、本開示の１つ以上の例示的な実施形態による、外部筐体を有し、かつ例えば図３または図４に示す光学装置が組み込まれる、例示的な２本のファイバの光結合器の等角底面図である。図８には、上記で考察したレセプタクル２５０、全反射器（ＴＩＲ）２６０、および第２のレンズアレイ２１３の構成および／または配置が示されている。図８には、複数の（例えば４つの）ステーキングピン４００を含む、基板または回路基板への光結合器の接続を容易にする機能部も示されている。
【００４７】
図１０は、本開示の１つ以上の例示的な実施形態とともに使用可能な別の反射低減機構の断面図である。具体的には、図１０には、光ファイバスタブ１０２０を有するアセンブリ１０００が示されており、光ファイバスタブ１０２０は、当該スタブ１０２０の長手方向軸線に対して９０°に略等しい角度を有する第１の面１０２２と、当該スタブ１０２０の長手方向軸線に対して９０°未満の角度を有する第２の面１０２４とを有する。ここでのアセンブリはフェルール１０１０も有し、当該フェルール１０１０は、光学スタブ１０２０を囲み、かつ面１０２２および１０２４の角度と実質的に等しい角度をそれぞれ有する、第１の面１０１２および第２の面１０１４を有する。幾つかの実施形態では、第２の面１０１４および１０２４の角度は長手方向軸線に対して８２°〜８６°であってよい。このように、光ファイバスタブ１０２０は、ファイバの長手方向軸線に対して類似の角度、例えば８５°以下に研磨された面を有するファイバと適合する（例えば「組み合わされる」）ように構成されてもよい。アセンブリは、面１０１２および１０２２がフィルタ２４０に対して近位となるように、光結合器のレセプタクル、例えば図６に示すレセプタクル２５０に挿入可能である。
【００４８】
他の例示的な実施形態では、光ファイバへの戻り反射は、マルチチャネル光結合器を有するファイバレセプタクルのそれぞれの内部に、光学ブロック（「光学インサート」とも称する）を装着し、取り付け、固定し、かつ／または挿入することによって、低減可能である。光学ブロックは、光ファイバの屈折率に実質的に一致する屈折率を有する溶融シリカ等の材料から製造可能である。光学ブロックならびにファイバレセプタクル内に光学ブロックを挿入しかつ保持する技術の様々な実施形態は、本願と同時に出願され、その全体が参照により本明細書に組み込まれる“Fiber Optical Interface with Reduced Reflections”なる名称のＰＣＴ特許出願である米国第２０１９／ｘｘｘｘｘｘ号（整理番号：第１０７２−０００６号）に記載されている。
【００４９】
図１１Ａおよび図１１Ｂは、本開示の１つ以上の例示的な実施形態による、交互配置の構成で取り付けられた光学装置を有する、例示的な光結合器の２つの図である。具体的には、図１１Ａは全反射器（ＴＩＲ）、例えば上記で考察したＴＩＲ２６０を有さない例示的な実施形態の断面図である。図１１Ａに示す光結合器は、光学装置２０２を囲む成形本体２０４を有することができ、幾つかの実施形態では、光学装置２０２は、他の図面に関連して上述した様々な光学装置に実質的に類似していてよい。例えば、光学装置２０２は、上記の基本方式により、到来する光信号１０２を４つの構成波長２０６に分割または逆多重化することができる。幾つかの例示的な実施形態では、成形本体２０４はシングルショット成形工程により製造可能であり、これにより、本体２０４または光学装置２０２の素子がモールドの両側に格納され、よって素子間の実質的な位置合わせが提供される。
【００５０】
図１１Ｂは様々な部品の配置を示す成形本体２０４の等角図である。成形本体２０４は、光学装置２０２を挿入するためのキャビティ３１０を有し、これにより、光学装置２０２の少なくとも一面がキャビティ３１０の少なくとも一面と接触する。成形本体２０４は、光ファイバの端部が光学装置２０２の第１の光学フィルタに光学的に位置合わせされるように構成された、光ファイバ用のレセプタクル３０２も有する。１つのレセプタクル３０２のみを図示しているが、当業者は、本体２０４が、複数のファイバ用のレセプタクル３０２、および複数の光ファイバに適した光学装置２０２、例えば上述した図３に示した光学装置を収容するサイズのキャビティ３１０とともに成形されうることを容易に理解するであろう。幾つかの例示的な実施形態では、１つ以上のレセプタクル３０２は、１つ以上のファイバのそれぞれからの光信号が通ることができる一体型のレンズを含むように成形可能である。代替的に、本体２０４は、レセプタクル３０２のそれぞれへの適切なレンズの挿入を容易にするように成形することもできる。
【００５１】
４つのレンズ４０２〜４０８のアレイ３０８は、図１１Ａに示したような光学装置２０２のそれぞれのフィルタにより提供される４つの光信号２０６に光学的に位置合わせ可能である。幾つかの例示的な実施形態では、レンズアレイ３０８は本体２０４と一体成形可能であるが、他の例示的な実施形態では、レンズアレイ３０８は、別個に形成可能であり、本体２０４内に形成された対応するレセプタクルに挿入可能である。幾つかの例示的な実施形態では、レンズ４０２〜４０８のそれぞれに対して１つずつの、つまり複数のレセプタクルを有する本体２０４を形成することができる。本体２０４が複数のファイバレセプタクル３０２とともに成形される実施形態では、本体２０４は、それぞれのファイバにより搬送された多波長信号を逆多重化して単波長信号とするのに好適なレンズアレイ３０８とともに（またはレンズアレイ３０８を収容するように）成形可能である。
【００５２】
図１２は、本開示の１つ以上の例示的な実施形態による、キャビティを有する光学装置が組み込まれる光結合器アセンブリの側断面図である。具体的には、図１２には、成形本体（または結合モジュール）１２４２の前端部にファイバレセプタクル１２１０を有する光結合器１２００が示されている。全反射器（ＴＩＲ）１２７０は、レセプタクル１２１０に挿入されるファイバに光学的に位置合わせされるように、光結合器１２００とともに形成可能、配置可能、または取り付け可能である。付加的に、光結合器１２００の上面は、４つの平坦な隆起部１２３０〜１２３３により画定されるミラー装着面を有するキャビティ１２２０を有する。隆起部１２３０と隆起部１２３１とは互いに平行であり、かつ隆起部１２３２および隆起部１２３３に対して垂直であってよく、隆起部１２３２と隆起部１２３３とは互いに平行に位置合わせ可能であるので、この図では一方のみが見えている。隆起部１２３０および隆起部１２３１のそれぞれが隆起部１２３２および隆起部１２３３のそれぞれと交差し、かつ隆起部１２３２および隆起部１２３３のそれぞれが隆起部１２３０および隆起部１２３１のそれぞれと交差する。ミラー装着面は「実質的に」平面であると見なすことができる。なぜなら隆起部１２３０〜１２３３の平坦面、すなわち上面がともに平面を画定しているからである。
【００５３】
平面ミラー１２１５をミラー装着面に装着することができる。平面ミラー１２１５は、例えば、上述した実施形態に類似する反射コーティングを有する光学ブロックを有することができる。また、陥凹領域１２２０内には、４つの平坦な隆起部１２３４〜１２３７により画定されるミラー取付面もある。隆起部１２３４〜１２３７は隆起部１２３０〜１２３３の下方の奥に位置しうるので、この図では隆起部１２３５および隆起部１２３７のみが見えている。ミラー１２１５は、隆起部１２３０〜１２３３により画定される上述したミラー装着面上に設けることができる。つまり、ミラー１２１５がこのように取り付けられると、ミラー１２１５は隆起部１２３０〜１２３３上に載置され、または隆起部１２３０〜１２３３と接触する。ミラー１２１５を保持する一助として、ミラー１２１５をミラー装着面上に設ける前に、ミラー取付面に接着剤コーティングを塗布することもできる。
【００５４】
また、キャビティ１２２０内には、光結合器１２００の本体の長手方向（例えば前方から後方）に互いに平行に配向された２つの平坦な隆起部１２３８および隆起部１２３９により画定されているフィルタ装着面もあり、この図では隆起部１２３９のみが見えている。フィルタ装着面は「実質的に」平面であると見なすことができる。なぜなら隆起部１２３８および隆起部１２３９の平坦面または上面がともに平面を規定しているからである。また、キャビティ１２２０内には、隆起部１２３８および隆起部１２３９下方の奥に位置する４組の平坦なプラットフォーム（この図では見えない）を有するフィルタ取付面もあり、これにより、フィルタ取付面はフィルタ装着面の下方の奥に位置する。４つの光学フィルタ１２５０〜１２５６は、（それぞれがファイバにより搬送される光の特定の波長に対応し）キャビティ１２２０内のフィルタ装着面の４つの対応する装着部に設けることができる。フィルタ１２５０〜１２５６を保持する一助として、フィルタをフィルタ装着面上に設ける前に、フィルタ取付面に接着剤のコーティングを塗布することができる。なお、４つのフィルタの単一の装着配置を図示しているが、これは単に例示のためであり、当業者は、こうした配置が（例えば、さらなる波長に対応する）さらなるフィルタを含んでもよいし、かつ／またはマルチチャネル光結合器に結合される光ファイバごとに複製されてもよいことを容易に理解するであろうことに注意されたい。４つのレンズ１２８０〜１２８６は、（それぞれ特定の波長に対応し）光結合器１２００の下面に配置され、これにより、レンズ１２８０〜１２８６のそれぞれがフィルタ１２５０〜１２５６のうちの１つに光学的に位置合わせされる。
【００５５】
図１３は、本開示の１つ以上の例示的な実施形態による、図１２に対応する光結合器アセンブリを有する波長分割逆多重化装置を示す側断面図である。図１３に示す例示的な構成では、受信された光信号は、光結合器１２００の本体、ミラー１２１５、および破線で示す光路に沿って設けられたフィルタ１２５０〜１２５６を有するアセンブリを通って伝搬する。光信号は４つの異なる変調波長λ１〜λ４を含み、反射面１２７０は光信号をミラー１２１５へと反射する。ミラー１２１５は、まず、光信号をフィルタ１２５０へと反射させ、フィルタ１２５０は、波長λ１を透過させ、かつ波長λ２〜λ４を反射させる。したがって、波長λ１を含む光信号部分は、フィルタ１２５０を通り、オプトエレクトロニクス検出器チップ１２０５の第１の光検出器（個別には図示せず）に衝突する。検出器チップ１２０５は、それぞれが波長λ１〜λ４のうちの１つに感応する複数のＰＩＮダイオードを有していてよい。検出器チップ１２０５は、プリント回路基板アセンブリ１２９０（通常「基板」とも称する）の表面に装着可能である。波長λ２〜λ４を含む残りの光信号部分はフィルタ１２５０により反射されて、ミラー１２１５に衝突する。ミラー１２１５は、１つの波長λ２を透過しかつ少なくとも波長λ３およびλ４を反射するフィルタ１２５２に、当該残りの光信号部分を反射させる。したがって、波長λ２を含む光信号部分は、フィルタ１２５２を通り、検出器チップ１２０５の第２の光検出器（個別には図示せず）、例えばＰＩＮダイオードに衝突する。他の波長に対応する光学回路も同様に動作する。
【００５６】
当業者は、検出器チップ１２０５を、例えばそれぞれが特定の波長（または低帯域の波長）を有する光を発する複数のレーザを有する対応の多波長光源と交換することにより、波長分割多重化装置が図１３に示すのと同様に構成可能であることを容易に理解するであろう。このような実施形態では、光結合器を通る光の伝搬方向は、図１３に示す方向の反対である。当業者は、検出器チップ１２０５とともに、例えばそれぞれが特定の波長（または低帯域の波長）を有する光を発する複数のレーザを有する多波長光源１２０６を設けることにより、波長分割多重化装置／逆多重化装置（例えば送受信機）が図１３に示すのと同様に構成可能であることも容易に理解するであろう。このような組み合わせの検出器チップ１２０５および光源１２０６は、本明細書の以下に説明するような基板に装着可能である。
【００５７】
ミラー１２１５およびフィルタ１２５０〜１２５６の表面は、比較的高い精度で互いに平行となりうる。なぜなら、ミラー装着面とフィルタ装着面とは、光結合器内で比較的高い精度で互いに平行にすることができるからである。上述したように、それぞれのレンズ１２８０〜１２８６は、フィルタ１２５０〜１２５６のうちの対応する１つと、検出器チップ１２０５の対応するＰＩＮダイオードとに、光学的に位置合わせ可能である。平面ミラー１２１５とフィルタ１２５０〜１２５６とが平行に配置されているので、それぞれのＰＩＮダイオードはそれぞれのレンズ１２８０〜１２８６に対して「軸外」に配置可能である。幾つかの例示的な実施形態では、レンズ１２８０〜１２８６は非球面であってもよい。
【００５８】
図１４は、本開示の１つ以上の例示的な実施形態による、８本の光ファイバのそれぞれからの個別の２波長（２λ）の光信号を１６個の個別の光信号に分離するために使用可能な、別の例示的な光学装置の等角上面図である。図１４に示す光学装置は、図１〜図２に示す光学装置２０または図３〜図８に示す光学装置２００と同じ材料および方式で構成可能である。ただし、図１４に示す光学装置のフィルタでは、それぞれ特定の波長のための８個の光学フィルタが、１行もしくは１列ではなく、８本の光ファイバに対応して８行もしくは８列に配列されている。それぞれの行もしくは列は、２つの光学フィルタを有し、そのそれぞれが対応するファイバにより搬送される特定の波長のためのものである。
【００５９】
図１５は、図１４に示した光学装置の特定の例示的な実施形態の上面図である。当該例示的な実施形態では、パターニングされた不透明層１５３０が光学フィルタを装着するために用いられる光学装置の表面に形成される。不透明層１５３０は、隣り合うフィルタ間の空間を覆っていてよく、幾つかの実施形態では（図示のように）フィルタアレイの外周も覆っていてよい。こうした実施形態において、パターニングされた不透明層１５３０は、隣り合うフィルタアレイ間の空間内の横断線１５３１および／またはフィルタアレイの外周を囲んで延在する外周線１５４１〜１５４４を有することができる。幾つかの実施形態では、横断線１５３１は、隣り合うフィルタアレイ間の光学的に透明な領域または隙間よりも僅かに大きな幅、例えば所望されない光が隣り合うフィルタアレイ間の隙間を通って侵入するのを防止するのに十分な幅を有することができる。外周線１５４１〜１５４４の幅は、光路内で発散する光の一部と相互作用するフィルタ縁部によって生成される光学的ノイズを低減するのに十分なものであってよい。不透明層１５３０は、異なる材料（例えば、アルミニウム、誘電性コーティング、金等）で構成され、かつリソグラフィまたは直接描画により形成可能である。パターニングされた不透明層１５３０は、例えば、隣り合うフィルタを通る光源間のクロストークを低減することにより、光学装置の性能を改善することができる。
【００６０】
図１６は、図１４および図１５に対応する実施形態を含む、様々な光学装置とともに使用可能な、外部筐体または本体１６００を有する例示的な光結合器アセンブリの等角上面図である。図１６には、光結合器の表面への光学装置の装着を容易にする複数の装着ピン１６１０およびフィルタ取付溝１６２０も示されている。図１７には、このように光学装置を組み込んだ、例示的な光結合器アセンブリの等角上面図である。
【００６１】
図１８は、本開示の１つ以上の例示的な実施形態による、１２本の光ファイバ用の例示的な光結合器の等角正面図である。図１８には、上記で考察したレセプタクル２５０および第１のレンズアレイ２７０の構成および／または配置が示されている。図１８には、ファイバコネクタ留め具１７１０およびファイバコネクタ位置合わせピン１７２０を含む、光結合器への２本の光ファイバの接続を容易にする機能部も示されている。
【００６２】
図１９は、本開示の１つ以上の例示的な実施形態による、１２本の光ファイバ用の例示的な光結合器の等角底面図である。図１９には、上記で考察したレセプタクル２５０、全反射器２６０、および第２のレンズアレイ２１３の構成および／または配置が示されている。図１９には、複数の（例えば、４つの）ステーキングピン１８１０を含む、基板または回路基板への光結合器の接続を容易にする機能部も示されている。
【００６３】
図２０は、本開示の１つ以上の例示的な実施形態による、他の光変換電子機器とともに基板に取り付けられて送受信機アセンブリを形成する、例示的な光結合器の断面図である。図２０に示す例示的な実施形態は、波長分割多重化および／または逆多重化の解決手段をきわめて小型かつ低コストにすることができる送信機（Ｔｘ）、受信機（Ｒｘ）、または送受信機（Ｔｘ／Ｒｘ）のサブアセンブリを含むことができる。図２０の側面図には装置の１つの「部分」（断面）のみが示されているが、実装形態は上記で考察したように複数の部品のアレイを含みうる。装置１９００は、例えば関連分野の技術者に公知の並列ＴｘまたはＲｘ集積回路（ＩＣ）１９４０を含むことができる。ＩＣ１９４０は、基板１９１０との電気的接続のための半田ボール１９３０を含む。ＩＣ１９４０は、例えば半田ボール１９３０とは反対側の上面に複数の垂直共振器面発光レーザ（ＶＣＳＥＬ）（便宜上１９４０ａと称する）および／またはＰＩＮフォトダイオードアレイ（１９４０ｂと称する）を含むことができる。Ｒｘ回路では、フォトダイオードは、例えばＭＳＭフォトダイオードまたは任意の種類の光検出器とともに実装可能である。Ｔｘ回路では、光源は、ＩＣに対して垂直に光を発することができるレーザまたは回転ミラーを用いるエッジ発光レーザを有することができる。他の例示的な実施形態は、他の電子サブマウント、例えば電気的配線を設けられた一枚のシリコン、ガリウムヒ素、またはリン化インジウムを用いることができる。光結合器１９５０は、ＩＣ１９４０の上方に配置可能であり、光結合器１９５０とＩＣ１９４０との間に配置されるスペーサ１９６０により定位置に保持可能である。
【００６４】
図２１は、本開示の１つ以上の例示的な実施形態による、例示的な送受信機アセンブリの等角上面図である。図２１に示している送受信機アセンブリは、図２０に示した例示的な実施形態と類似の方法で基板または回路基板に装着可能である。例示的な送受信機アセンブリは、例えば図１６〜図１７（２×８ＷＤＭ光結合器）または図１８〜図１９（２×１２ＷＤＭ光結合器）を含む、上記で考察したものと類似した光結合器を有していてよい。図２１には、例示的な機械的機能部、例えば図１８に示したファイバコネクタ留め具１７１０およびファイバ位置合わせピン１７２０を用いて送受信機アセンブリに差し込まれているファイバアレイケーブル（例えば、８本または１２本のファイバを有する）も示されている。ファイバアレイケーブルは、保持クリップ２１１０により定位置に保持可能である。様々な実施形態において、保持クリップ２１１０は、基板に取り付けられる別個のユニットもしくはアセンブリであってよく、または光結合器自体と一体に形成または組み立てることもできる。
【００６５】
図２２は、本開示の１つ以上の例示的な実施形態による、別の例示的な送受信機アセンブリの等角上面図である。図２２に示している例示的なアセンブリは、内部送受信機アセンブリ、例えば図２１に示した送受信機アセンブリを格納する外部筐体を有することができる。
【００６６】
図２３には、本開示の様々な実施形態による、マルチチャネル光結合器の例示的な設計が示されている。図２３には、例示的なマルチチャネル光結合器の設計による光チャネルの経路も図示されている。図２３に示しているここでの具体的な設計は、並列アセンブリ内にｎ本のファイバ（Ｆ１〜Ｆｎ）を有する４波長（λ１〜λ４）の多重化装置／逆多重化装置において用いることができる。例えば、４本の送信用ファイバおよび４本の受信用ファイバ（ｎ＝８）が光アセンブリにおいて用いられる場合、各ファイバからの光は、それぞれの位置の配線経路を進む。
【００６７】
図２３に示している例示的な設計は、様々なパラメータ値に基づいている。「ファイバピッチ」は、並列ファイバアレイにおける、隣り合うファイバの中心線間の距離を指す。典型的には、並列ファイバの最小ファイバピッチは２５０マイクロメートルであり、図２３に示している設計は、当該値を用いている。「ファイバ間レンズピッチ」は光結合器内のレンズアレイの隣り合うレンズの中心線間の距離を指し、典型的にはファイバピッチに等しくなりうる。図２３に示している設計は、当該基本方式にしたがって、２５０マイクロメートルのファイバ間レンズピッチを有する。しかし、当該パラメータは、具体的な光学的設計の構成に応じて、当該ファイバピッチよりも大きくても、または小さくてもよい。さらに、図２３に示している設計は、１５マイクロメートルの厚みを有する反射コーティングを採用している。
【００６８】
図２３に示す設計のシミュレーション結果によれば、それぞれのファイバ内の波長λ１〜λ３は、結合器内のそれぞれの光路から外れず、したがって隣り合うチャネルにクロストークを生じさせないことが示された。しかし、シミュレーション結果によれば、それぞれのファイバ内の波長λ４は、結合器内の光路から外れ、隣り合うファイバの波長λ４内にクロストークを引き起こすことが示された。なお、これらのシミュレーション結果に基づくと、当該クロストークは−３１．７ｄＢ以下である。
【００６９】
言い換えれば、（Ｆ１，λ４）のクロストークは（Ｆ２，λ４）のみから生じ、（Ｆ４，λ４）のクロストークは（Ｆ３，λ４）から生じうる。それぞれのクロストークは−３１．７ｄＢである。対照的に、（Ｆ２，λ４）は、（Ｆ１，λ４）および（Ｆ３，λ４）の両方からのクロストークを被る一方、（Ｆ３，λ４）は、（Ｆ２，λ４）および（Ｆ４，λ４）の両方からのクロストークを被る。それぞれのクロストークは小さい方の値の２倍、すなわち−２８．７ｄＢになる。下記の表１にこれらのシミュレーション結果を要約する。なお、「Ｆ１−Ｆ１」はＦ１の各チャネル（λ）内にとどまる望ましい信号の百分率を表すことに注意されたい。すなわち、
【表１】
2021513121.tif 000003
である。
【００７０】
当該例示的なマルチチャネル光結合器の設計において、ファイバ間レンズピッチにより光学ブロック内のフィルタの物理的寸法が決定される。レンズピッチが小さくなるほど、フィルタの製造および組み立てが困難になる。したがって、レンズピッチを大きくしてフィルタの寸法を大きくすることができる。しかし、レンズピッチをより大きくすると、光路全体および意図する光路外の各光ビームのダイバージェンスが大きくなり、クロストークが大きくなってしまう。例えば、図２３に示した配置においてレンズピッチが２５０マイクロメートルを超えると、λ４のクロストークが大きくなる可能性があり、λ３または他のチャネルにもクロストークを引き起こしうる。それでも、図２３に示す例示的な設計は、本開示の実施形態により、最小のクロストーク性能要求、例えば−１０ｄＢ以下を満たしつつ、製造を容易にするパラメータ選択の範囲が提供されることを示している。
【００７１】
本明細書において説明したように、デバイスおよび／または装置は、半導体チップ、チップセット、または当該チップまたはチップセットを有する（ハードウェア）モジュールにより表されうる。しかし、このことは、デバイスもしくは装置の機能が、ハードウェアでの実現に代えて、ソフトウェアモジュールとして、例えば、プロセッサ上での実行のためのまたはプロセッサ上で実行される実行可能ソフトウェアコード部分を含むコンピュータプログラムまたはコンピュータプログラム製品として実現される可能性を排除するものではない。さらに、デバイスもしくは装置の機能は、ハードウェアおよびソフトウェアの任意の組み合わせによって実現可能である。デバイスもしくは装置は、機能が互いに協働しているかまたは独立しているかにより、複数のデバイスおよび／または装置のアセンブリと見なすことができる。さらに、デバイスもしくは装置の機能が維持される限り、デバイスおよび装置はシステム全体に分散されて実現することもできる。当該および類似の基本方式は当業者に公知であると考えられる。
【００７２】
上記は、本開示の基本方式を示したに過ぎない。本明細書の教示に照らして、説明した実施形態の様々な変更形態および改変形態が当業者には明らかであろう。したがって、当業者が、本明細書に明示的に図示または説明されていなくとも、本開示の基本方式を具現化し、よって本開示の趣旨および範囲に包含されうる多くのシステム、構成および手順を考案可能であることが理解される。様々な異なる例示的な実施形態を一緒に用いうること、ならびに相互に交換可能に用いうることも、当業者は理解するはずである。さらに、本開示の明細書、図面および特許請求の範囲を含めた本開示で用いている特定の用語を、特定のケースにおいて同義語として用いることができ、ここには例えばデータおよび情報も含まれるが、これらに限定されない。互いに同義語となりうるこれらの単語および／または他の単語を、本明細書において同義語として用いることができる一方で、このような単語が同義語として用いられることを意図しない場合がありうることを理解されたい。さらに、従来技術の知識は、上記の参照により本明細書に明示的に組み込まれていない場合を除き、その全体が本明細書に明示的に組み込まれる。参照されるすべての公開文献は、その全体が参照により本明細書に組み込まれる。
【図１】
2021513121.tif 000004
【図２】
2021513121.tif 000005
【図３】
2021513121.tif 000006
【図４】
2021513121.tif 000007
【図５】
2021513121.tif 000008
【図６】
2021513121.tif 000009
【図７】
2021513121.tif 000010
【図８】
2021513121.tif 000011
【図９】
2021513121.tif 000012
【図１０】
2021513121.tif 000013
【図１１Ａ】
2021513121.tif 000014
【図１１Ｂ】
2021513121.tif 000015
【図１２】
2021513121.tif 000016
【図１３】
2021513121.tif 000017
【図１４】
2021513121.tif 000018
【図１５】
2021513121.tif 000019
【図１６】
2021513121.tif 000020
【図１７】
2021513121.tif 000021
【図１８】
2021513121.tif 000022
【図１９】
2021513121.tif 000023
【図２０】
2021513121.tif 000024
【図２１】
2021513121.tif 000025
【図２２】
2021513121.tif 000026
【図２３】
2021513121.tif 000027
【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
複数の光ファイバのための光結合器（１０、１００）であって、
第１の面（６８、２５５）、第２の面（６２、２６５）、レンズアレイレセプタクル（６６、２７５）、および複数の光ファイバを受容するように構成された１つ以上のファイバレセプタクル（８０、２５０）を含む、成形結合モジュール（８３、２９９）と、
反射コーティングを保持する特定の面（２１、２３０）、および前記特定の面の反対側にあり、かつ複数の光学フィルタ（４０、２４０）を保持するさらなる面（２２、２３５）を有し、それぞれの光学フィルタが単一の光波長を通すように構成されており、前記特定の面と前記さらなる面との間の厚さＴを有する、光学装置（２０、２００）と、
第１のレンズピッチで配置された複数の第１のレンズを有する第１のレンズアレイ（６５、２７０）であって、それぞれの第１のレンズが特定の光ファイバに対応づけられ、かつ少なくとも前記反射コーティングを介して前記複数の光学フィルタ（４０、２４０）に光学的に位置合わせされるように、前記レンズアレイレセプタクル（６６、２７５）に対して配置されている、第１のレンズアレイ（６５、２７０）と、
第２のレンズピッチで配置された複数の第２のレンズを有する第２のレンズアレイ（７０、２１３）であって、そのそれぞれのレンズが前記複数の光学フィルタ（４０、２４０）の対応する１つに光学的に位置合わせされるように、前記成形結合モジュールの前記第２の面（６２、２６５）に対して配置されている、第２のレンズアレイ（７０、２１３）と、
を有し、
前記光学装置（２０、２００）の厚さ、前記第１のレンズピッチ、および前記第２のレンズピッチは、前記光結合器が前記複数の光学フィルタを通った前記光波長のいずれかに対して−１０ｄＢ以下のクロストークを生じるように構成されている、光結合器（１０、１００）。
【請求項２】
前記第１のレンズアレイ（６５、２７０）が前記１つ以上の光ビーム反射器（２６０）および前記反射コーティングを介して前記複数の光学フィルタ（４０、２４０）に光学的に位置合わせされるように、前記成形結合モジュール（８３、２９９）の前記第２の面（６２、２６５）に対して配置された、１つ以上の光ビーム反射器（６６、２６０）をさらに有する、請求項１記載の光結合器。
【請求項３】
前記光学装置（２０、２００）の前記さらなる面（２２、２３０）は、前記第１のレンズアレイ（６５、２７０）が前記反射コーティングのみを介して前記複数の光学フィルタ（４０、２４０）に光学的に位置合わせされるように、前記成形結合モジュール（８３、２９９）の前記第１の面（６８、２５５）に取り付けられている、請求項１または２記載の光結合器。
【請求項４】
前記第１のレンズアレイ（６５、２７０）は、前記第１のレンズアレイのそれぞれのレンズが対応するファイバから受光される光をコリメートしないように構成されている、請求項１から３までのいずれか１項記載の光結合器。
【請求項５】
前記光学装置（２０、２００）は、前記さらなる面（２２、２３０）が実質的に不透明なコーティング（１３０）を保持するように構成されており、前記実質的に不透明なコーティング（１３０）は、前記複数の光学フィルタ（４０、２４０）の外周を実質的に囲み、かつ前記複数の光学フィルタを通る直接の光路に実質的に干渉することなく前記複数の光学フィルタの間に介在するいずれかの隙間を実質的に覆う、フットプリントを有する、請求項１から４までのいずれか１項記載の光結合器。
【請求項６】
前記複数の光学フィルタ（４０、２４０）は、
前記複数の光ファイバに対応する複数の行と、
前記複数の光ファイバのいずれかにより支援される光波長の最大数に対応する複数の列と
を含むアレイとして配置されている、請求項１から５までのいずれか１項記載の光結合器。
【請求項７】
特定の列のすべての光学フィルタは、同じ光波長を通すように構成されている、請求項６記載の光結合器。
【請求項８】
特定の列の前記光学フィルタのサブセットは、前記特定の列の前記光学フィルタの別のサブセットとは異なる光波長を通すように構成されている、請求項６記載の光結合器。
【請求項９】
前記第２のレンズアレイ（７０、２１３）のそれぞれのレンズは、前記対応する光学フィルタから受光された光をコリメートしない、請求項１から８までのいずれか１項記載の光結合器。
【請求項１０】
前記第１の面（６８）および前記第２の面（６２）は、実質的に平行であり、前記第２のレンズアレイ（７０）は、複数の軸外の非球面レンズを有する、請求項１から９までのいずれか１項記載の光結合器。
【請求項１１】
前記第１の面（２５５）および前記第２の面（２６５）は、実質的に非平行であり、前記第２のレンズアレイ（２１３）は、複数の軸上の非球面レンズを有する、請求項１から１０までのいずれか１項記載の光結合器。
【請求項１２】
前記光学装置（２０、２００）は、前記特定の面（２１、２３０）、および反対側の前記さらなる面（２２、２３０）を有する光学ブロックを有し、
前記光学ブロックの前記さらなる面（２２、２３０）は、前記成形結合モジュール（８３、２９９）の前記第１の面（６８、２５５）に取り付けられている、
請求項１から１１までのいずれか１項記載の光結合器。
【請求項１３】
前記成形結合モジュール（１２４２）は、前記複数の光学フィルタが取り付けられる前記さらなる面（１２３９）を有し、
前記反射コーティングを保持する前記特定の面は、キャビティ（１２２０）が前記反射コーティングと前記複数の光学フィルタとの間に存在するように、前記成形結合モジュールの前記第１の面（１２３０〜１２３７）に取り付けられている、
請求項１から１２までのいずれか１項記載の光結合器。
【請求項１４】
複数の光学インサートをさらに有し、それぞれの光学インサートは、前記第１のレンズアレイ（６５、２７０）の特定のレンズに結合されており、かつ前記特定のレンズと、前記ファイバレセプタクル（８０、２５０）のうちの１つの内部における光ファイバの端部に対応する位置との間に光学的に位置合わせされている、請求項１から１３までのいずれか１項記載の光結合器。
【請求項１５】
前記１つ以上のファイバレセプタクル（８０、２５０）は、前記ファイバのそれぞれの長手方向軸線に対して８５°以下の角度に研磨されたそれぞれの端部を有する複数のマルチモードファイバと組み合わされるように構成されている、請求項１から１３までのいずれか１項記載の光結合器。
【請求項１６】
前記１つ以上のファイバレセプタクル（８０、２５０）は、複数のファイバスタブ（１０２０）を有し、前記複数のファイバスタブのそれぞれの特定のスタブは、前記複数のマルチモードファイバの特定のファイバに対応しており、
それぞれの特定のスタブは、前記対応する特定のファイバの研磨端部との組み合わせのために特定の角度に研磨された端部（１０２４）を有する、
請求項１５記載の光結合器。
【請求項１７】
基板（１９１０）と、
前記基板に取り付けられた、請求項１から１６までのいずれか１項記載の光結合器（１０、１００、１９５０）と、
前記基板に取り付けられた複数の光源（１９４０ａ）であって、それぞれの光源が前記第２のレンズアレイ（７０、２１３）の対応するレンズに光学的に位置合わせされるように構成された光源（１９４０ａ）と
を有する、波長分割多重化装置。
【請求項１８】
基板（１９１０）と、
前記基板に取り付けられた、請求項１から１６までのいずれか１項記載の光結合器（１０、１００、１９５０）と、
前記基板に取り付けられた複数のフォトダイオード（１９４０ｂ）であって、それぞれのフォトダイオードが前記第２のレンズアレイ（７０、２１３）の対応するレンズに光学的に位置合わせされるように構成されたフォトダイオード（１９４０ｂ）と
を有する、波長分割逆多重化装置。
【請求項１９】
基板（１９１０）と、
前記基板に取り付けられた、請求項１から１６までのいずれか１項記載の光結合器（１０、１００、１９５０）と、
前記基板に取り付けられた複数のフォトダイオード（１９４０ｂ）であって、それぞれのフォトダイオードが前記第２のレンズアレイ（７０、２１３）の第１の部分の対応するレンズに光学的に位置合わせされるように構成されたフォトダイオード（１９４０ｂ）と、
前記基板に取り付けられた複数の光源（１９４０ａ）であって、それぞれの光源が前記第２のレンズアレイ（７０、２１３）の第２の部分の対応するレンズに光学的に位置合わせされるように構成された光源（１９４０ａ）と
を有する、波長分割送信機／受信機。
【請求項２０】
基板（１９１０）と、
前記基板に取り付けられた、請求項１から１６までのいずれか１項記載の光結合器（１０、１００、１９５０）と、
さらなる複数のファイバレセプタクルであって、前記さらなるファイバレセプタクルのそれぞれの内部において、光ファイバの端部に対応する位置が前記第２のレンズアレイ（７０、２１３）の対応するレンズに光学的に位置合わせされるように、前記基板に取り付けられたファイバレセプタクルと
を有する、ファイバ間多重化装置／逆多重化装置。
【国際調査報告】
2021513121.tif 000028
2021513121.tif 000029
2021513121.tif 000030